(57)【要約】      （修正有）【課題】単一鉢に水耕栽培の機能を内蔵し、大小の植物を良好に育てることができ、軽量で移動や設置が手軽に行え安全性が高くあらゆる場所に設置できる。また大掛かりな水耕設備等ではなく単一鉢に小型モーターを内争し、循環水を上部貯水槽の縁全体から下部貯水槽に落水して溶存酸素を取り込み、根酸や老廃物質を酸化還元して水質を浄化し、さらに補給し順調に水耕栽培ができる。また清潔・軽量・強固の移動設置が手軽にでき、メンテナンスが楽な水耕システムを内蔵し、都市のいたる場所に設置ができ、人々の気分が癒されることができるようにするために、あらゆる点で機能性が高くコスト的に安価に提供できるようにする。【解決手段】ＦＲＰ樹脂とグラスファイバーで製作した強度の高い容器鉢2に循環流落水の機能を内蔵し、六面体鉢3に樹木15を植えたものを内部に固定して自水布を通して植物に水分を補給し順調に生育をはかる構成。【選択図】  図２
2005261415.tif 000002
【特許請求の範囲】
水耕栽培鉢に貯水槽を下部に設けて水耕栽培鉢を水の重量で安定させ、植栽の樹木等が強風や他の衝撃で倒れることを防ぎ、また水耕栽培鉢の中間部に上部貯水槽を鉢内部に全周囲に設けて、下部貯水槽から小型ポンプで水を上部貯水槽に常時連続して汲み上げて上部貯水槽が満水となると全周囲の縁から水が下部の貯水槽に循環流水として注がれ、空気中の酸素を多く取り込み水質を酸化還元によって良好に純化する方法で植物の根酸・蟻酸・酢酸・修酸その他多くの悪性老廃物質を循環流落水法によって解消して樹木等に悪い影響を与えない。水槽内に六面体自水鉢に樹木を植えたものを設置固定し、循環流落水を六面体鉢の下部から自水布を通してさらに浄化された水を樹木に補給することができ、良好の状態で水耕栽培が単一鉢で完全にできあらゆる場所に設置して観賞できる  循環流落水耕法。
【発明の詳細な説明】
【発明の詳細な説明】
【産業上の利用分野】
【０００１】  本発明は鉢植え植物の水耕栽培システムで、特に大型植物を単鉢で循環流落水耕法を利用して育成管理する方法で清潔軽量で移動や設置また管理等が非常に便利な点があり、植物の生育等も良好であらゆる品種を育成することができる  循環流落水耕法に関するものである。
【従来の技術及びその課題】
【０００２】  一般に２ｍ以上を越える樹木は大型鉢で重量も５０ｋｇ〜１００ｋｇ等になり輸送移動や設置に大変な労力が必要となりますので大型鉢物の装飾設置の普及がほとんどない状況です。都市部での緑化対策でも屋外の通路や商店街通りの緑化並木等に要望が多くありますが、水やりその他メンテナンス面で敬遠されがちでした。従来の方法で都市部でいろいろと大型鉢コンテナ等を利用して設置しましたが、水不足や栄養不足そして根詰まり等が原因で枝枯等が激しく樹形が悪化して、撤去するようになっています。都市部では四季の自然の移り変わりを強く求められ、四季折々の樹木の入替設置が望まれていますが、従来の方法ですと重量が５０ｋｇ〜１００ｋｇとなり、人力での設置が困難でレッカー車等を使用しなければできない点で費用が高くつく。またメンテナンスが夏期は３日に一度の人手が必要で費用が多額となることから緑化計画が実行しにくいとされます。これらの多くの問題点を解決するために発明された  循環流落水耕法。
【本発明が解決しようとする課題】
【０００３】  軽量で強度のあるＦＲＰグラスファイバー製の循環流落水耕鉢を作り、本体の重量は６０ｃｍ鉢で１５ｋｇで高さ３ｍの樹木を育成管理ができます。従来のコンクリート鉢ですと４５ｋｇで培養土を入れると１００ｋｇとなり、植栽した場合に設置費用が平均３５００円といわれます。年間のメンテナンス費用も、一鉢３６０００円で合わせると７１０００円となり、本体樹木３００００円に鉢培養土３５０００円総合計１３６０００円となります。そして２年間ごとに植え替えしなければ根詰りを起こして樹形の観賞価値がなくなります。本発明ですと鉢と樹木を別々に運ぶことができ、本体鉢が１５ｋｇと樹木が六面体と一緒で１７ｋｇと軽量で１人で移動設置ができます。設置後に水を１００ｌの量を入れると、１３５ｋｇと重量がグーンとまして、強固に安定され強風やその他の衝撃で倒れることがない鉢内の水耕水が常に循環することで夏場の高温で溶存酸素欠乏を防ぎ、また冬場の低温による凍結を防止する。本発明は軽量で清潔ですから四季折々の花木を入れ替えて楽しめる。なお室内やベランダ・庭園でも手軽に設置観賞できる。本発明は大型樹木等を水耕管理をして樹木を良好に生育させ、都市の並木緑化を手軽に安価にできる解決の課題である。
【問題点を解決するための手段】
【０００４】  上記の目的を達成するためには、図１に示すように１のふたと２の水耕容器をＦＲＰのグラスファイバーで制作し、５の下部貯水槽に水を入れ、９の小型モニターで４の水管から水を落とし、満水の状態からオーバーフロー水として溶存酸素を増す。１１からのオーバーフロー水として下部貯水槽に落水させて、循環を連続させて溶存酸素を増す。１１からのオーバー落水は３の六面体鉢の下部自水布から水分を吸収し、樹木等の水耕養水として生育をはかる。循環することで水質を良好に保ち、植物の根圏生育環境を正常にして樹木等を繁らせ、花や果実等をも楽しむことが容易にできる。
【作用】
【０００５】  軽量で強固のＦＲＰ樹脂鉢で水耕機能を内蔵した循環落水耕法で単一の鉢で水耕栽培を完全に行うことができ、多品種の植物に対応することが可能です。移動や設置が手軽にできることと、清潔で周辺を汚すことがないので都市の緑化・屋外街路・商店街・オフィス内の緑化装飾等に幅広く活用できる作用がある。
【実施例】
【０００６】  以下  図面を参照して本発明の循環流落水耕法を使用した実施例を説明すると図２は本発明の断面図と１５の樹木の斜視図で５の下部水槽に１３の水を入れて６のストレーナーから４の水道管を通して９のモーターで汲み上げて１０の配水管から放出して、１１の上部貯水槽に落とし込んで水槽の縁全体から５に流れ落ちて循環を繰り返して水の浄化をし、３の六面体の自水布を通して樹木に水を補給する。この循環を行うことで樹木の老廃物や根酸を酸化還元して水質を良好に保ち、水耕栽培で樹木等が順調に育成できる。また輸送や移動設置の時に上下貯水槽の水を抜き、軽量にして行えば１００ｋｇが１７ｋｇの軽さになるので作業が楽で危険等がなく安全である。よって多くの利点を持つ理想的な単一鉢での水耕方法です。なお本発明の素材はＦＲＰ・グラスファイバー・プラスチック・ゴム・ガラス・金属・布・竹・木等を使用できる。
【発明の効果】
【０００７】  本発明は以上説明したように単一鉢で循環式水耕栽培ができ、多品種の大小の植物を永続的に管理栽培ができ、都市・商業圏・街路・公園・オフィス・ベランダ・屋上とありとあらゆる場所に花や緑で美しい環境を作ることが手軽にでき、人々の心を温かく癒し豊かにする効果もあり、また商業地に設置することで美しい商店街を演出でき多くの買い物客を呼び込むことができ商売繁盛で活性化できる効果がある。
【図面の簡単な説明】
【図１】本発明断面図
【図２】本発明断面図と樹木斜視図
【図３】本発明に草花を植えた斜視図
【図４】本発明に樹木を植えた斜視図
【図５】本発明を商業地設置の斜視図
【符号の説明】
１．固定ふた
２．上部貯水槽
３．六面体鉢
４．水道管
５．下部貯水槽
６．ストレーナー
７．樹木固定穴
８．固定ネジ
９．循環モーター
１０．配水管
１１．上部水槽
１２．水補給口
１３．養液水
１４．電源
１５．樹木
１６．クッション
１７．草花
【図１】
2005261415.tif 000003
【図２】
2005261415.tif 000004
【図３】
2005261415.tif 000005
【図４】
2005261415.tif 000006
【図５】
2005261415.tif 000007